(57)【要約】      （修正有）【課題】独自なアクセサリーを簡単に製作できるアクセサリー製造玩具を提供する。【解決手段】爪および段部を有するフレームと、前記フレームに設けられた段部により支持される透明カバー体と、前記フレームの爪によって一体化される押さえ蓋と、前記押さえ蓋と前記透明カバー体とで構成される空間内に配置される台紙と、前記台紙と前記透明カバー体とで構成される空間内に配置される飾り部品とからなるアクセサリー部品集合体を一体化してアクセサリー完成品とする為のアクセサリー製造玩具。【選択図】図１
0003123077.tif 000002
【実用新案登録請求の範囲】
【請求項１】
収容体と、前記収容体に載せられた仮組立状態のアクセサリー部品集合体に対して所定の力を作用させて該仮組立状態アクセサリー部品集合体を一体化してアクセサリー完成品とする為の押圧具を備えたハウジング体とを具備するアクセサリー製造玩具であって、
前記収容体は、
ベース体と、
前記仮組立状態のアクセサリー部品集合体を載せる為の前記ベース体に対して立設された筒状体と、
前記筒状体の上端部に形成された凹部と、
前記仮組立状態のアクセサリー部品集合体を前記筒状体に載せた際に、該アクセサリー部品集合体を支持する為の該筒状体の内周壁部に形成された段部
とを有し、
前記ハウジング体は、
前記筒状体を該ハウジング内に位置させたり該ハウジング外に位置させたりする為、前記ベース体をスライドさせるスライド機構と、
前記収容体のベース体をスライドさせて、該ベース体に立設されている筒状体を該ハウジング内に位置させた場合に、該筒状体が所定の位置に規制される位置規制機構
とを有し、
前記押圧具は、
前記収容体が前記ハウジング内に位置させられて前記位置規制機構により前記筒状体が所定の位置に位置規制された場合、該筒状体に載せられている仮組立状態のアクセサリー部品集合体に対して所定の力を作用させて該仮組立状態アクセサリー部品集合体を一体化してアクセサリー完成品とすることが出来るよう構成されてなる
ことを特徴とするアクセサリー製造玩具。
【請求項２】
爪および段部を有するフレームと、前記フレームに設けられた段部により支持される透明カバー体と、前記フレームの爪によって一体化される押さえ蓋と、前記押さえ蓋と前記透明カバー体とで構成される空間内に配置される台紙と、前記台紙と前記透明カバー体とで構成される空間内に配置される飾り部品とからなるアクセサリー部品集合体を一体化してアクセサリー完成品とする為のアクセサリー製造玩具であって、
前記アクセサリー製造玩具は、
収容体と、
前記収容体に、下側から、前記フレーム、前記透明カバー体、前記飾り部品、前記台紙、及び前記押さえ蓋の順に載せられた仮組立状態のアクセサリー部品集合体に対して、所定の力を作用させて、該仮組立状態アクセサリー部品集合体を一体化してアクセサリー完成品とする為の押圧具を備えたハウジング体
とを具備し、
前記収容体は、
ベース体と、
前記仮組立状態のアクセサリー部品集合体を載せる為の前記ベース体に対して立設された筒状体と、
前記筒状体の上端部に形成された凹部と、
前記仮組立状態のアクセサリー部品集合体を前記筒状体に載せた際に、該アクセサリー部品集合体を支持する為の該筒状体の内周壁部に形成された段部
とを有し、
前記ハウジング体は、
前記筒状体を該ハウジング内に位置させたり該ハウジング外に位置させたりする為、前記ベース体をスライドさせるスライド機構と、
前記収容体のベース体をスライドさせて、該ベース体に立設されている筒状体を該ハウジング内に位置させた場合に、該筒状体が所定の位置に規制される位置規制機構
とを有し、
前記押圧具は、
前記収容体が前記ハウジング内に位置させられて前記位置規制機構により前記筒状体が所定の位置に位置規制された場合、該筒状体に載せられている仮組立状態のアクセサリー部品集合体に対して所定の力を作用させ、該仮組立状態アクセサリー部品集合体の前記フレームの爪が前記押さえ蓋に掛止・一体化してアクセサリー完成品とすることが出来るよう構成されてなる
ことを特徴とするアクセサリー製造玩具。
【請求項３】
筒状体が他の形状の筒状体と交換可能なように構成されてなることを特徴とする請求項１又は請求項２のアクセサリー製造玩具。
【考案の詳細な説明】
【技術分野】
【０００１】
本考案は、例えばイヤリング、携帯電話ストラップ、或いはキーホルダーと言った如きのアクセサリーを、簡単に、手作り出来るアクセサリー製造玩具に関する。
【背景技術】
【０００２】
小学生あるいは中学生の間では、自分独自のアクセサリーを身に付けることが喜ばれる風潮が有る。すなわち、他人とは異なるアクセサリーを身に付けることによって、個性を際立たせようとしている。
【０００３】
又、友達とアクセサリーを交換するにしても、その前提として、自分が独自に製作したオリジナルなアクセサリーが必要になる。
【０００４】
さて、独自のアクセサリーと一言で言っても、それを製作するのは容易では無い。
【考案の開示】
【考案が解決しようとする課題】
【０００５】
従って、本考案が解決しようとする課題は、独自なアクセサリーを簡単に製作できるアクセサリー製造玩具を提供することである。
【課題を解決するための手段】
【０００６】
前記の課題は、収容体と、前記収容体に載せられた仮組立状態のアクセサリー部品集合体に対して所定の力を作用させて該仮組立状態アクセサリー部品集合体を一体化してアクセサリー完成品とする為の押圧具を備えたハウジング体とを具備するアクセサリー製造玩具であって、
前記収容体は、
ベース体と、
前記仮組立状態のアクセサリー部品集合体を載せる為の前記ベース体に対して立設された筒状体と、
前記筒状体の上端部に形成された凹部と、
前記仮組立状態のアクセサリー部品集合体を前記筒状体に載せた際に、該アクセサリー部品集合体を支持する為の該筒状体の内周壁部に形成された段部
とを有し、
前記ハウジング体は、
前記筒状体を該ハウジング内に位置させたり該ハウジング外に位置させたりする為、前記ベース体をスライドさせるスライド機構と、
前記収容体のベース体をスライドさせて、該ベース体に立設されている筒状体を該ハウジング内に位置させた場合に、該筒状体が所定の位置に規制される位置規制機構
とを有し、
前記押圧具は、
前記収容体が前記ハウジング内に位置させられて前記位置規制機構により前記筒状体が所定の位置に位置規制された場合、該筒状体に載せられている仮組立状態のアクセサリー部品集合体に対して所定の力を作用させて該仮組立状態アクセサリー部品集合体を一体化してアクセサリー完成品とすることが出来るよう構成されてなる
ことを特徴とするアクセサリー製造玩具によって解決される。
【０００７】
特に、爪および段部を有するフレームと、前記フレームに設けられた段部により支持される透明カバー体と、前記フレームの爪によって一体化される押さえ蓋と、前記押さえ蓋と前記透明カバー体とで構成される空間内に配置される台紙と、前記台紙と前記透明カバー体とで構成される空間内に配置される飾り部品とからなるアクセサリー部品集合体を一体化してアクセサリー完成品とする為のアクセサリー製造玩具であって、
前記アクセサリー製造玩具は、
収容体と、
前記収容体に、下側から、前記フレーム、前記透明カバー体、前記飾り部品、前記台紙、及び前記押さえ蓋の順に載せられた仮組立状態のアクセサリー部品集合体に対して、所定の力を作用させて、該仮組立状態アクセサリー部品集合体を一体化してアクセサリー完成品とする為の押圧具を備えたハウジング体
とを具備し、
前記収容体は、
ベース体と、
前記仮組立状態のアクセサリー部品集合体を載せる為の前記ベース体に対して立設された筒状体と、
前記筒状体の上端部に形成された凹部と、
前記仮組立状態のアクセサリー部品集合体を前記筒状体に載せた際に、該アクセサリー部品集合体を支持する為の該筒状体の内周壁部に形成された段部
とを有し、
前記ハウジング体は、
前記筒状体を該ハウジング内に位置させたり該ハウジング外に位置させたりする為、前記ベース体をスライドさせるスライド機構と、
前記収容体のベース体をスライドさせて、該ベース体に立設されている筒状体を該ハウジング内に位置させた場合に、該筒状体が所定の位置に規制される位置規制機構
とを有し、
前記押圧具は、
前記収容体が前記ハウジング内に位置させられて前記位置規制機構により前記筒状体が所定の位置に位置規制された場合、該筒状体に載せられている仮組立状態のアクセサリー部品集合体に対して所定の力を作用させ、該仮組立状態アクセサリー部品集合体の前記フレームの爪が前記押さえ蓋に掛止・一体化してアクセサリー完成品とすることが出来るよう構成されてなる
ことを特徴とするアクセサリー製造玩具によって解決される。
【０００８】
又、上記のアクセサリー製造玩具であって、筒状体が他の形状の筒状体と交換可能なように構成されてなることを特徴とするアクセサリー製造玩具によって解決される。
【考案の効果】
【０００９】
本考案によれば、独自なアクセサリーが簡単に製作できる。
すなわち、アクセサリー部品、中でも、飾り部品や台紙としてオリジナルなものを用いることによって、簡単に、独自なアクセサリーを製作できる。
【考案を実施するための最良の形態】
【００１０】
本考案は、アクセサリー製造玩具である。特に、爪および段部を有するフレームと、前記フレームに設けられた段部により支持される透明カバー体と、前記フレームの爪によって一体化される押さえ蓋と、前記押さえ蓋と前記透明カバー体とで構成される空間内に配置される台紙と、前記台紙と前記透明カバー体とで構成される空間内に配置される飾り部品とからなるアクセサリー部品集合体を一体化してアクセサリー完成品とする為のアクセサリー製造玩具である。そして、収容体と、前記収容体に載せられた仮組立状態のアクセサリー部品集合体に対して所定の力を作用させて該仮組立状態アクセサリー部品集合体を一体化してアクセサリー完成品とする為の押圧具を備えたハウジング体とを具備する。収容体は、ベース体と、前記仮組立状態のアクセサリー部品集合体を載せる為の前記ベース体に対して立設された筒状体と、前記筒状体の上端部に形成された凹部と、前記仮組立状態のアクセサリー部品集合体を前記筒状体に載せた際に、該アクセサリー部品集合体を支持する為の該筒状体の内周壁部に形成された段部とを有する。ハウジング体は、前記筒状体を該ハウジング内に位置させたり該ハウジング外に位置させたりする為、前記ベース体をスライドさせるスライド機構と、前記収容体のベース体をスライドさせて、該ベース体に立設されている筒状体を該ハウジング内に位置させた場合に、該筒状体が所定の位置に規制される位置規制機構とを有する。押圧具は、前記収容体が前記ハウジング内に位置させられて前記位置規制機構により前記筒状体が所定の位置に位置規制された場合、該筒状体に載せられている仮組立状態のアクセサリー部品集合体に対して所定の力を作用させて該仮組立状態アクセサリー部品集合体を一体化してアクセサリー完成品とすることが出来るよう構成されてなる。又、筒状体が他の形状の筒状体と交換可能なように構成されている。
【００１１】
以下、更に詳しく説明する。
図１〜図４は本考案に係るアクセサリー製造玩具の第１実施形態を示すもので、図１はアクセサリー部品集合体を収容体に載せる状態での全体概略斜視図、図２はアクセサリー部品集合体の一体化状態での全体概略斜視図、図３はアクセサリー完成品の一部断面図、図４はアクセサリー完成品の斜視図である。
【００１２】
各図中、１は、アクセサリーの部品である略リング状のフレームである。このフレーム１は、外側に出っ張った凸部２を有する。この凸部２には貫通孔３が形成されている。４は、フレーム１の一端側において内側に向かって出っ張った段部である。５は、段部４に対向する如く設けられた爪である。６は、透明樹脂でドーム状に形成された透明カバー体である。そして、この透明カバー体６をフレーム１内に配置した場合、フレーム１の段部４に掛止する鍔部７が設けられている。８は適宜な飾り部品である。９は、装飾効果を高める為、適宜なキャラクターが描かれているとか、自分の写真などが貼付されている台紙である。１０は硬質な押さえ蓋である。
【００１３】
そして、図１に示される通り、フレーム１の上から透明カバー体６が配されると、透明カバー体６の鍔部７の下面がフレーム１の段部４の上面に掛止する。そして、この上から、飾り部品８が入れられる。この後、台紙９が配置され、台紙９が透明カバー体６の鍔部７の上面によって支持される。そして、台紙９の上から押さえ蓋１０が置かれる。そして、押さえ蓋１０に対して適宜な押圧力が加えられると、押さえ蓋１０が爪５の内側に押し込まれ、透明カバー体６の鍔部７と台紙９の周縁部と押さえ蓋１０の周縁部とはフレーム１の段部４と爪５とで挟持され、一体化するようになる。
【００１４】
２１は収容体である。収容体２１は、ベース板２２と、ベース板２２に立設された円筒状体２３と、摘み部２４とを有する。円筒状体２３の上端部には、フレーム１の凸部２が嵌まり込むことが出来る凹部２５が形成されている。又、円筒状体２３内にフレーム１が配された場合、凹部２５に凸部２が嵌まり込むことが出来るようになっているばかりで無く、フレーム１の段部４の下面を支持する段部２６が円筒状体２３の内周壁部に形成されている。そして、収容体２１の円筒状体２３は、摘み部２４を持って前後方向に動かすことで、後述するハウジング体に対して出し入れ出来るようになっている。
【００１５】
３１はハウジング体である。このハウジング体３１は、収容体２１のベース板２２が上に置かれることになるベース体３２を有する。ベース体３２の左右側部には段部３３が設けられている。そして、段部３３の内側面には、ベース板２２が嵌合する溝３４が形成されている。そして、溝３４が、ベース板２２のスライドに際して、案内（ガイド）手段としての機能を奏するようになっている。ベース体３２の後部にも段部３５が設けられている。そして、収容体２１のベース板２２を押し込んだ際、ベース板２２の後端面が段部３５に当たることによって、それ以上は押し込むことが出来ないようになっている。すなわち、段部３５がストッパ機能（位置規制機能）を奏するようになっている。尚、図示していないが、収容体２１をそれ以上は引き出すことが出来ないようにするストッパ機構も構成されている。例えば、ベース板２２にはコ字型のスリットが形成され、このスリットによって形成された舌片の下面に凸部が形成されており、この凸部が嵌る長手状の孔が形成されており、この長手状の孔の範囲内で前記舌片下面の凸部が前方側に動作できるようになっており、収容体２１の引出度が規制されるようになっている。収容体２１のベース板２２がハウジング体３１の一番奥の位置まで押し込まれた状態、即ち、ベース板２２の後端面が段部３５に当たるまで収容体２１が押し込まれた状態（図２の状態）において、収容体２１の円筒状体２３に対向する位置には門３６が設けられている。門３６の上面３７にはプッシュノブ３８が設けられている。尚、プッシュノブ３８には弾撥部材（図示せず）が設けられており、通常、弾撥部材の力によって上側に押し上げられている。そして、弾撥部材の力に抗してプッシュノブ３８を、図２に示す如く、下側に押し込むと、プッシュノブ３８の下面部によって収容体２１の円筒状体２３に載せられているアクセサリー部品集合体、即ち、押さえ蓋１０に押圧力が加えられ、押さえ蓋１０がフレーム１の爪５の内側に押し込まれるようになっている。
【００１６】
上記の如くに構成させていると、図１に示される如く、収容体２１が引き出された状態にて、円筒状体２３にアクセサリーの部品を載せる。例えば、円筒状体２３に、先ず、フレーム１を載せる。この時、フレーム１の凸部２が円筒状体２３の上端部の凹部２５に嵌まり込むように置く。この後、透明カバー体６を置き、そして、この上から、飾り部品８を入れる。この後、台紙９を置き、更に押さえ蓋１０を置く。このようにして、アクセサリー部品集合体が置かれた後、この仮組立状態のアクセサリー部品集合体をその状態にしたままで、図２に示される如く、収容体２１をハウジング体３１内に押し込む。そして、この状態にて、プッシュノブ３８を下側に押し込むと、収容体２１の円筒状体２３に載せられているに過ぎない仮組立状態のアクセサリー部品集合体、即ち、押さえ蓋１０は、プッシュノブ３８の下面部によって押圧力が加えられ、押さえ蓋１０がフレーム１の爪５の内側に押し込まれ、図３に示される如く、フレーム１と押さえ蓋１０とは掛止・一体化する。そして、図４に示される如きのアクセサリーが完成する。
【００１７】
図５は、本考案に係るアクセサリー製造玩具の第２実施形態の概略図である。
本実施形態のアクセサリー製造玩具も前記実施形態のものと基本的に同一構造のものであるから、詳細な説明は省略する。尚、本実施形態にあっては、収容体の円筒状体が適宜な形状のものに交換可能なように構成されている。すなわち、所定形状の筒状体付きの小型ベース板が収容体の大型ベース板の凹部内に嵌合できるように構成されており、筒状体が交換可能なように構成されている。そして、その他の点については前記実施形態の構造を備えている。
【図面の簡単な説明】
【００１８】
【図１】アクセサリー部品集合体を収容体載置状態での全体概略斜視図
【図２】アクセサリー部品集合体の一体化状態での全体概略斜視図
【図３】アクセサリー完成品の一部断面図
【図４】アクセサリー完成品の斜視図
【図５】本考案のアクセサリー製造玩具の第２実施形態の概略図
【符号の説明】
【００１９】
１      フレーム
２      凸部
４      段部
５      爪
６      透明カバー体
７      鍔部
８      飾り部品
９      台紙
１０    押さえ蓋
２１    収容体
２２    ベース板
２３    円筒状体
２４    摘み部
２５    凹部
２６    段部
３１    ハウジング体
３２    ベース体
３３    段部
３４    溝
３５    段部
３６    門
３８    プッシュノブ
代  理  人  宇  高    克  己
【図１】
0003123077.tif 000003
【図２】
0003123077.tif 000004
【図３】
0003123077.tif 000005
【図４】
0003123077.tif 000006
【図５】
0003123077.tif 000007
【手続補正書】
【提出日】平成18年4月19日(2006.4.19)
【手続補正１】
【補正対象書類名】図面
【補正対象項目名】全図
【補正方法】変更
【補正の内容】
【図１】
0003123077.tif 000008
【図２】
0003123077.tif 000009
【図３】
0003123077.tif 000010
【図４】
0003123077.tif 000011
【図５】
0003123077.tif 000012